【手続補正書】
【提出日】平成20年7月8日(2008.7.8)
【手続補正１】
【補正対象書類名】特許請求の範囲
【補正対象項目名】全文
【補正方法】変更
【補正の内容】
【特許請求の範囲】
【請求項１】
モニター素子と、
前記モニター素子に電流を供給する電流源と、
前記モニター素子に発生する電圧に応じた電圧を出力するアンプと、
温度情報を検出する回路及び点灯期間の情報を検出する回路を備え、前記温度情報及び点灯期間の情報と、前記モニター素子に発生する電圧変化とに応じた電圧を出力する外挿電源回路と、
発光素子と、
前記発光素子に電圧を供給する電圧源として前記アンプの出力、または前記外挿電源回路の出力のいずれかを選択する手段と、を有することを特徴とする表示装置。
【請求項２】
モニター素子と、
前記モニター素子に電流を供給する電流源と、
温度情報を検出する回路及び点灯期間の情報を検出する回路を備え、前記温度情報及び点灯期間の情報と、前記モニター素子に発生する電圧変化とに応じた電圧を出力する外挿電源回路と、
発光素子と、
入力された電圧に応じた電圧を、前記発光素子に供給するアンプと、
前記アンプに入力する電圧として、前記モニター素子に発生する電圧、または前記外挿電源回路により生成された電圧のいずれかを選択する手段と、を有することを特徴とする表示装置。
【請求項３】
請求項１又は請求項２において、前記モニター素子は複数が並列接続されていることを特徴とする表示装置。
【請求項４】
請求項１乃至請求項３のいずれか一項において、前記モニター素子は前記発光素子の発光色毎に設けられ、前記モニター素子と前記発光素子は同一の材料で形成されていることを特徴とする表示装置。
【請求項５】
請求項１乃至請求項４のいずれか一項において、前記アンプはボルテージフォロワ回路であることを特徴とする表示装置。
【請求項６】
請求項１乃至請求項５のいずれか一項において、前記選択する手段は、設定された表示装置の点灯時間が経過すると選択が切り替わることを特徴とする表示装置。
【請求項７】
請求項１乃至６のいずれか一項において、前記表示装置を表示部に備えていることを特徴とする電子機器。
【請求項８】
モニター素子と、
前記モニター素子に電流を供給する電流源と、
前記モニター素子の陽極の電位に応じた電位を出力するアンプと、
温度情報を検出する回路及び点灯期間の情報を検出する回路を備え、前記温度情報及び点灯期間の情報と、前記モニター素子に発生する電圧変化とに応じた電圧を出力する外挿電源回路と、
発光素子と、
前記発光素子の駆動を制御するトランジスタと、
前記トランジスタのソース又はドレインの一方が、前記アンプ又は前記外挿電源回路のいずれかの出力端子に接続されるように切り替わるスイッチと、を有することを特徴とするアクティブマトリクス型表示装置。
【請求項９】
モニター素子と、
前記モニター素子に電流を供給する電流源と、
温度情報を検出する回路及び点灯期間の情報を検出する回路を備え、前記温度情報及び点灯期間の情報と、前記モニター素子に発生する電圧変化とに応じた電圧を出力する外挿電源回路と、
入力された電圧に応じた電圧を出力するアンプと、
前記アンプの入力端子が、前記モニター素子の陽極、または前記外挿電源回路の出力端子のいずれかに接続されるように制御するスイッチと、
発光素子と、
前記発光素子の駆動を制御するトランジスタと、を有し、
前記アンプの出力端子は前記トランジスタのソースまたはドレインの一方と接続されていることを特徴とするアクティブマトリクス型表示装置。
【請求項１０】
請求項８または請求項９において、前記モニター素子は複数が並列接続されていることを特徴とするアクティブマトリクス型表示装置。
【請求項１１】
請求項８乃至請求項１０のいずれか一項において、前記モニター素子の一方の電極と前記発光素子の一方の電極が接続されていることを特徴とするアクティブマトリクス型表示装置。
【請求項１２】
カラム信号線と、
ロウ信号線とがマトリクスに配置され、複数の発光素子を備えた画素部と、
モニター素子と、
前記モニター素子に電流を供給する電流源と、
前記モニター素子の陽極の電位に応じた電位を出力するアンプと、
温度情報を検出する回路及び点灯期間の情報を検出する回路を備え、前記温度情報及び点灯期間の情報と、前記モニター素子に発生する電圧変化とに応じた電圧を出力する外挿電源回路と、
前記カラム信号線が、前記アンプの出力端子又は前記外挿電源回路の出力端子に接続されるように切り替わるスイッチと、を有することを特徴とするパッシブマトリクス型表示装置。
【請求項１３】
カラム信号線と、
ロウ信号線とがマトリクスに配置され、複数の発光素子を備えた画素部と、
モニター素子と、
前記モニター素子に電流を供給する電流源と、
温度情報を検出する回路及び点灯期間の情報を検出する回路を備え、前記温度情報及び点灯期間の情報と、前記モニター素子に発生する電圧変化とに応じた電圧を出力する外挿電源回路と、
アンプと、
前記アンプの入力端子が、前記モニター素子の陽極、または前記外挿電源回路の出力端子のいずれかに接続されるように制御するスイッチと、を有し、
前記アンプにより前記カラム信号線の電位が設定されることを特徴とするパッシブマトリクス型表示装置。
【請求項１４】
請求項１２または請求項１３において、前記モニター素子は複数が並列接続されていることを特徴とするパッシブマトリクス型表示装置。
【請求項１５】
請求項１４において、前記モニター素子はロウ信号線と接続されていることを特徴とするパッシブマトリクス型表示装置。
【手続補正２】
【補正対象書類名】明細書
【補正対象項目名】０００８
【補正方法】変更
【補正の内容】
【０００８】
また、本発明の表示装置は上記構成において、モニター素子に発生する電圧をサンプリングし、サンプリングした電圧の変化を数式化し、数式に基づいて電圧を生成する外挿電源回路を有し、設定された条件を満たしたら、外挿電源回路により生成した電圧を発光素子に印加するようにする。
【手続補正３】
【補正対象書類名】明細書
【補正対象項目名】００１７
【補正方法】変更
【補正の内容】
【００１７】
また、本発明のアクティブマトリクス型表示装置は、
モニター素子と、
モニター素子に電流を供給する電流源と、
モニター素子の陽極の電位をサンプリングし、サンプリングした電位の変化を数式化し、
数式に基づいて電位を生成する外挿電源回路と、
入力された電圧と同電圧又は概略同電圧を出力するアンプと、
アンプの入力端子が、モニター素子の陽極、または外挿電源回路の出力端子のいずれかに接続されるように制御するスイッチと、
発光素子と、
発光素子の駆動を制御するトランジスタと、を有し、
アンプの出力端子はトランジスタのソースまたはドレイン端子と接続されている。
【手続補正４】
【補正対象書類名】明細書
【補正対象項目名】００２１
【補正方法】変更
【補正の内容】
【００２１】
また、本発明のパッシブマトリクス型表示装置は、
カラム信号線と、ロウ信号線とがマトリクスに配置され、複数の発光素子を備えた画素部と、
モニター素子と、
モニター素子に電流を供給する電流源と、
モニター素子の陽極の電位をサンプリングし、サンプリングした電位の変化を数式化し、
数式に基づいて電位を生成する外挿電源回路と、
アンプと、
アンプの入力端子が、モニター素子の陽極、または外挿電源回路の出力端子のいずれかに接続されるように制御するスイッチと、を有し、
アンプによりカラム信号線の電位が入力される。